(57)【要約】【課題】カーテンレール（２０）内を走行する本体（２）と、その本体に支持されるリング（３）とからなるカーテンランナー（１）であって、容易にカーテンフックを掛けることが可能であり、必要であれば、単列のカーテンレールに２枚の間仕切り用カーテン又は表地及び裏地用カーテンを吊り下げることができるものを提供する。【解決手段】本体（２）の中央から垂下する脚部（４）に左右方向に延長する軸部（５）を支持し、本体（２）にリング（３）を軸部（５）を支点として回動可能に支持し、リング（３）を、側面から見ると、前後両端部が軸部（５）よりも下方に位置し、上から見ると、少なくとも軸部の前側に開口（６）が表れる形状とする。【選択図】        図１
2004275306.tif 000002
【特許請求の範囲】
【請求項１】
カーテンレール長手方向を左右方向とするとき、カーテンレール内を左右に走行する本体（２）と、前記本体に支持されるリング（３）とを備えるカーテンランナー（１）であって、前記本体は、中央から垂下する脚部（４）に左右方向に延長する軸部（５）を支持し、前記リングは、前記本体に前記軸部を支点として回動可能に支持され、上面から見ると、少なくとも前記軸部の前側に開口（６）が表れ、側面から見ると、前後両端部が前記軸部よりも下方に位置する形状であることを特徴とするカーテンランナー。
【請求項２】
リング（３）は、上面から見ると、軸部（５）の前側及び後側に開口（６）が表れることを特徴とする請求項１に記載のカーテンランナー。
【請求項３】
リング（３）は、側面から見ると、前後対称であるであることを特徴とする請求項１に記載のカーテンランナー。
【請求項４】
リング（３）は、側面から見ると、逆Ｔ字形、逆Ｖ字形、逆Ｙ字形、Ａ字形のいずれかであることを特徴とする請求項３に記載のカーテンランナー。
【請求項５】
リングは、側面から見ると、へ字形、又は横倒しｒ字形であることを特徴とする請求項１に記載のカーテンランナー。
【発明の詳細な説明】
【０００１】
【発明の属する技術分野】
本発明は、カーテンレール内を走行する本体と、その本体に支持されるリングとからなるカーテンランナーに関する。
【０００２】
【従来の技術】
周知のカーテンランナー１１は、図９に示すように、カーテンレール２０内を走行する本体１２と、その本体１２に揺動可能に支持されるリング１３とからなり、リング１３にカーテン２２の上縁部に取り付けたカーテンフック２１が掛けられる。本体１２は、中央から垂下する脚部１４とカーテンレール２０内を走行する車輪１７とを備える。従来のカーテンランナー１１のリング１３は、別体として、脚部１４のリング孔１５に掛けられ、自重で鉛直にぶら下がるから、カーテンフック２１を掛けるリング１３の開口１６は、常に水平に向いていた。
【０００３】
【発明が解決しようとする課題】
従来のカーテンランナー１１は、図９に示すように、リング１３の開口１６は水平方向を向くから、カーテン２２の上部に取り付けられている縦長のカーテンフック２１を掛けるとき、カーテンフック２１をリング１３の開口１６に対して水平にする必要がある。このとき、カーテン２２の上部も水平に近い状態にしなければならないので、カーテフック２１をカーテンランナー１１のリング１３に掛ける作業は、やりづらく、特に、丈長のカーテンの場合、脚立上の作業となるため、作業者の負担が大きいという問題があった。
【０００４】
また、従来のカーテンランナーは、１枚のカーテンしか吊すことができなかったので、間仕切りカーテンにおいて、裏面の外観が劣るカーテン２枚を背中合わせに吊り下げて裏面を隠す場合、カーテンランナーとカーテンレールが複列となり、間仕切りの厚さが増大するという問題があった。
【０００５】
さらに、カーテンに裏地を取り付ける場合、従来のカーテンランナーを使用すると、裏地カーテンは表地カーテンに逢着する必要があるため、裏地取付けが高価であるという問題があった。
【０００６】
本発明は、上記問題を解決するためになされたものであり、その課題は、カーテンの上部に取り付けられているカーテンフックを、容易に掛けることができるカーテンランナーであって、必要であれば、単列のカーテンレールに２枚の間仕切り用カーテン又は表地及び裏地用カーテンを吊り下げることができるものを提供することである。
【０００７】
【課題を解決するための手段】
前記課題を解決するため、本発明が採用する手段は、カーテンレール長手方向を左右とすると、カーテンレール内を走行する本体と、その本体に支持されるリングとを備えるカーテンランナーにおいて、本体の中央から垂下する脚部に左右方向に延長する軸部を支持し、その軸部を支点として本体にリングを回動可能に支持し、リングを、側面から見ると、前後両端部が軸部よりも下方に位置し、上から見ると、少なくとも軸部の前側に開口が表れる形状とすることである。
【０００８】
軸部は、脚部に固定支持又は回転自在に支持する。軸部を脚部に固定支持するときは、軸部にリングを回転自在に支持し、軸部を脚部に回転自在に支持するときは、軸部にリングを固定支持又は回転自在に支持する。
【０００９】
リングは、上面から見ると、軸部の前後に開口が表れる前後対称な形状であり、側面から見ると、左右対称な逆Ｔ字形、逆Ｖ字形、逆Ｙ字形、Ａ字形などの形状であることが好ましい。しかし、リング開口の前側を後側よりも大きく形成し、前側開口にカーテン表地のカーテンフックを、後側開口にカーテン裏地のカーテンフックをそれぞれ掛けるようにすることもできる。この場合、リングは、側面から見ると、前後両端部が軸部よりも下方に位置するへ字形、横倒しｒ字形などの形状にすることができる。
【００１０】
本発明のカーテンランナーは、縦長のカーテンフックを掛けるリングの開口が上方ないし斜め上方に向くから、カーテン上部に取り付けられた縦長のカーテフックを開口に掛けるとき、カーテン上部を持ち上げて縦長のカーテンフックを、開口に対して水平に近い状態とする必要はなく、垂直に近い状態で上から下向きに掛けることができる。その結果、カーテン上部に取り付けられた縦長のカーテフックは、至極容易にカーテンランナーに掛けることができる。
【００１１】
カーテンランナーは、リング開口の前側のみにカーテンを吊るしても、リングが軸部を支点として回転し、カーテンの荷重は、カーテンランナーの中央を通る鉛直線方向に作用するから、カーテンランナーの強度は、従来のものと同程度でよく、走行も影響されない。したがって、カーテンランナーは、安定して円滑に走行する。                                                    本発明カーテンランナーのリング開口の前側に前側カーテンを、後側に後側カーテンをそれぞれを掛け、単列のカーテンレールに前後２枚のカーテンを吊るときも、リングは軸部を支点として回転し、前後のカーテン荷重をバランスさせるから、カーテンランナーは安定し、円滑に走行する。
【００１２】
前後２枚のカーテンが単列のカーテンレールから垂下する間仕切りは、仕切られた前後空間それぞれの用途にカーテンのデザインを合わせることが可能である。
【００１３】
本発明カーテンランナーのリング開口の前側に表地カーテンを、後側に裏地カーテンをそれぞれ掛けると、表地カーテンに裏地カーテンを逢着しなくても、裏地カーテンの取り付けが可能となる。
【００１４】
【発明の実施の態様】
本発明カーテンレールを図面に示す第１実施例に基づいて説明する。図１は、第１実施例を備えたカーテンレールの縦断面図である。図２及び図３は、第１実施例の側面図及び正面図、図４は、第１実施例を使用するカーテンの要部を示す側面図であり、（ａ）はカーテンフックを掛ける状態を、（ｂ）は、カーテンフックを掛けた状態をそれぞれ示す。
【００１５】
図１に示すように、カーテンランナー１は、本体２とその本体に揺動可能に支持されるリング３とからなる。本体２は車輪８を備え、カーテンレール２０内をカーテンレール長手方向に走行する。本体２は中央部から脚部４が垂下する形状であり、脚部４は、カーテンレール２０の底面開口から突出し、リング３の中央部にはまる。頭付きピン状の軸部５がリング３と脚部４をカーテンレール長手方向に貫通する。軸部５の先端はかしめられる。
【００１６】
図２及び図３に示すように、軸部５は、リング３と脚部４の軸部通し孔９に相互回動自在に挿通されるから、リング３は、本体２に対して軸部５を支点として回動可能である。リング３は軸部５を中心にして前後対称な長円形の半部を下方に折り曲げた立体形状である。リング３の開口６は軸部５を境に前側と後側に分かれる。リング３は、側面から見ると、逆Ｖ字形である。
【００１７】
図４に示すように、カーテンレール２０に装着したカーテンランナー１は、リング３の開口６の前側は斜め上方に向くから、カーテン２２の上部に取り付けられた縦長のカーテフック２１を掛けるとき、開口６に対し、カーテン上部を水平に近い状態に持ち上げて縦長のカーテフック２１を水平に近い状態とする必要はなく、垂直に近い状態で上から下向きに掛けることができる。したがって、カーテン２２の上部に取り付けられた縦長カーテンフック２１をリング３の開口６に通してカーテン２２をカーテンランナー１に掛ける作業は極めて容易である。
【００１８】
カーテン２２をリング３の開口６の前側のみに吊るしても、リング３が軸部５を支点として回転し、カーテン２２の荷重は、カーテンランナー１の中央を通る鉛直線方向に作用する。したがって、カーテンランナー１の強度は、従来のもと同程度でよく、走行にも影響はないから、カーテンランナー１は、安定して円滑に走行する。
【００１９】
【実施例】
次に、図面に示す他の実施例について説明する。図５及び図６は、第２実施例の側面図及び正面図、図７は、第２実施例を使用する間仕切りカーテンの要部を示す側面図である。
【００２０】
図５及び図６に示すように、カーテンランナー１ａのリング３ａは、長方形の両長辺中央からアーム７が起立し、そのアーム上端部を軸部５が貫通する立体形状である。カーテンレール長手方向を左右方向とするとき、上面から見ると、リング３ａは、前後対称な長方形であり、開口６ａは軸部５ａを境に前側と後側に分かれる。リング３ａは、側面から見ると、逆Ｔ字形である。
【００２１】
図７に示す間仕切りカーテンは、単列のカーテンレール２０に装着したカーテンランナー１ａに前後２枚のカーテン２２、２２を掛けたものである。カーテンランナー１ａは、リング３ａの開口６ａが上方を向くから、カーテンランナー１ａに前側及び後側カーテン２２、２２の上部にそれぞれ取り付けられた縦長のカーテンフック２１、２１を掛けるとき、開口６ａに対し、カーテン上部を水平に近い状態に持ち上げて縦長のカーテンフック２１、２１を水平に近い状態とする必要はなく、垂直に近い状態で上から下向きに掛けることができる。したがって、カーテン２２、２２の上部に取り付けられた縦長カーテンフック２１、２１をリング３ａの開口６ａの前側及び後側に通してカーテン２２、２２をカーテンランナー１ａに掛ける作業は極めて容易である。
【００２２】
カーテンランナー１ａに前後２枚のカーテン２２、２２を吊るとき、リング３ａは軸部５ａを支点として回転し、前後のカーテン荷重をバランスさせるから、カテンランナー１ａは安定し、円滑に走行する。
【００２３】
前後２枚のカーテン２２、２２が単列のカーテンレール２０から垂下する間仕切りは、前後のカーテン２２、２２のデザインを、仕切られた前後空間それぞれの用途に合わせることができる。
【００２４】
上記以外の構成は、第１実施例と同じである。
【００２５】
図８は、第３実施例の側面図である。カーテンランナー１ｂのリング３ｂは、側面から見ると、Ａ字形であり、バー１０により補強されている。上記以外の構成及び効果は、第１及び第２実施例と同じである。
【００２６】
【発明の効果】
上記のとおり、本発明のカーテンランナーは、本体の中央から垂下する脚部を有し、その脚部を左右に通る軸部を介してリングを本体に軸部を支点として回動可能に支持し、リングの開口を、上方又は斜め上方に向けるから、リングの開口が水平方に向く従来のものとは異なり、次のような優れた効果を奏する。
１．カーテンの上部に取り付けられた縦長のカーテフックをカーテンランナーに掛けるとき、カーテン上部を水平に近い状態に持ち上げてカーテフック２１を、開口に対して水平に近い状態とする必要はなく、垂直に近い状態で上から下向きに掛けることができるから、至極容易に、カーテンの上部に取り付けられた縦長カーテンフックをカーテンランナーに掛けることができる。
２．カーテンランナーは、１枚のカーテンをリング開口の前側のみに吊るときも、２枚のカーテンをリング開口の前後両側に吊るときも、リングが軸部を支点として回転し、、カーテンの荷重をバランスさせるから、特に補強する必要はなく、走行性も良好である。
３．単列のカーテンレールに前後２枚のカーテンを吊り下げることができるから、カーテン間仕切りに使用すると、間仕切りの厚さを増大させずに、カーテンのデザインを仕切られた前後空間それぞれの用途に合わせることが可能となる。
４．単列のカーテンレールに吊り下げる前後２枚のカーテンの前側を、表地カーテンとし、後側を裏地カーテンとして裏地の逢着を省略することにより、裏地取付けコストを低減することができる。
【図面の簡単な説明】
【図１】本発明カーテンランナーの第１実施例を備えるカーテンレールの正面図、
【図２】第１実施例の側面図、
【図３】第１実施例の正面図、
【図４】第１実施例を使用するカーテンの要部側面図であり、（ａ）はカーテンフックを掛ける状態を、（ｂ）は、カーテンフックを掛けた状態をそれぞれ示す。
【図５】第２実施例の側面図、
【図６】第２実施例の正面図、
【図７】第１実施例を使用する間仕切りカーテンの要部側面図、
【図８】第３実施例の側面図、
【図９】従来例を使用するカーテンの要部側面図、
【符号の説明】
１、１ａ、１ｂ：カーテンランナー
２：本体
３、３ａ、３ｂ：リング
４：脚部
５：軸部
６、６ａ：開口
７：アーム
８：車輪
９：軸部通し孔
１０：バー
１１：カーテンランナー
１２：本体
１３：リング
１４：鉛直軸
１５：リング通し孔
１６：開口
１７：車輪
２０：カテンレール
２１：カーテンフック
２２：カーテン
【図１】
2004275306.tif 000003
【図２】
2004275306.tif 000004
【図３】
2004275306.tif 000005
【図４】
2004275306.tif 000006
【図５】
2004275306.tif 000007
【図６】
2004275306.tif 000008
【図７】
2004275306.tif 000009
【図８】
2004275306.tif 000010
【図９】
2004275306.tif 000011